【手続補正書】
【提出日】令和1年9月17日(2019.9.17)
【手続補正１】
【補正対象書類名】特許請求の範囲
【補正対象項目名】全文
【補正方法】変更
【補正の内容】
【特許請求の範囲】
【請求項１】
第１チューナ部が、第１の事業体が送出する第１のサービス信号を含む第１デジタルテレビジョン放送を受信し、前記第１のサービス信号に含まれる、暗号化された第１ａキー（Ｋｗ）を含む前記第１の事業体の第１ａ制御情報（ＥＭＭ）、暗号化された第２ａキー（Ｋｓ）を含む前記第１の事業体の第２ａ制御情報（ＥＣＭ）ならびに第１スクランブルコンテンツを取得し、
第２チューナ部が、第２事業体が送出する第２のサービス信号を含む第２デジタルテレビジョン放送を受信し、前記第２サービス信号に含まれる、暗号化された第１ｂキー（Ｋｗ）を含む前記第２の事業体の第１ｂ制御情報（ＥＭＭ）、暗号化された第２ｂキー（Ｋｓ）を含む前記第２の事業体の第２ｂ制御情報（ＥＣＭ）ならびに第２スクランブルコンテンツを取得し、
デスクランブラが、前記第１チューナ部及び第２チューナ部から出力された前記第１及び第２スクランブルコンテンツをデスクランブルし、
制御部が、前記デスクランブラから出力される前記第１サービス信号の第１ストリームの所定の第１テーブル、第２サービス信号の第２ストリームの所定の第２テーブルをチェックすること、
前記所定の前記第１テーブル、前記所定の前記第２テーブルに含まれている各パケットＩＤに基づいて、前記第１ａ制御情報（ＥＭＭ）、前記第２ａ制御情報（ＥＣＭ）、前記第１ｂ制御情報（ＥＭＭ）、前記第２ｂ制御情報（ＥＣＭ）をそれぞれ取り出すこと、
前記第１チューナ部、前記第２チューナ部、前記デスクランブラを制御すること、
ＣＡＳモジュールが、前記制御部により制御され、前記第１の事業体の第１ａ制御情報（ＥＭＭ）から、固有の第３ａキー（Ｋｍ）を用いて前記第１ａキー（Ｋｗ）を取得し、前記第１の事業体の第２ａ制御情報（ＥＣＭ）から、取得された前記第１ａキー（Ｋｗ）を用いて、前記デスクランブラに与えるための前記第２ａキー（Ｋｓ）を取得すること、
前記第２の事業体の第１ｂ制御情報（ＥＭＭ）から、固有の第３ｂキー（Ｋｍ）を用いて前記第１ｂキー（Ｋｗ）を取得し、前記第２の事業体の第２ｂ制御情報（ＥＣＭ）から、取得された前記第１ｂキー（Ｋｗ）を用いて、前記デスクランブラに与えるための前記第２ｂキー（Ｋｓ）を取得すること、
を備え、
さらに前記制御部は、前記第１ａ制御情報（ＥＭＭ）に対応した第１ａコマンド送信を前記ＣＡＳモジュールに対して行う第１時間帯と、前記第１ｂ制御情報（ＥＭＭ）に対応した第１ｂコマンド送信を前記ＣＡＳモジュールに対して行う第２時間帯とを連続してずらして設定すること、
前記第１ａ制御情報（ＥＭＭ）に対応した前記第１ａコマンド送信を、前記第１ａ制御情報（ＥＭＭ）を受信してから前記第１時間帯内に前記ＣＡＳモジュールに対して行うまでの間に、前記１チューナ部により受信した前記第１の事業体の前記第２ａ制御情報（ＥＣＭ）に対応した第２ａコマンド送信を前記ＣＡＳモジュールに対して行うこと、
前記第１ｂ制御情報（ＥＭＭ）に対応した前記第１ｂコマンド送信を、前記第１ｂ制御情報（ＥＭＭ）を受信してから前記第２時間帯内に前記ＣＡＳモジュールに対して行うまでの間に、前記２チューナ部により受信した前記第２の事業体の前記第２ｂ制御情報（ＥＣＭ）に対応した第２ｂコマンド送信を前記ＣＡＳモジュールに対して行うこと、を備えた、受信方法。
【請求項２】
前記第１の時間帯と前記第２の時間帯との時間は、それぞれ３０秒間である、請求項１記載の受信方法。
【手続補正２】
【補正対象書類名】明細書
【補正対象項目名】発明の名称
【補正方法】変更
【補正の内容】
【発明の名称】受信方法
【手続補正３】
【補正対象書類名】明細書
【補正対象項目名】０００１
【補正方法】変更
【補正の内容】
【０００１】
実施形態の説明は、放送信号を受信する受信方法に関する。
【手続補正４】
【補正対象書類名】明細書
【補正対象項目名】００１４
【補正方法】変更
【補正の内容】
【００１４】
そこで本実施形態においては、例えば厳密に１つのＣＡＳモジュールであったとしても、デスクランブルに必要なＥＣＭおよびＥＭＭの処理を取りこぼすことなく、契約番組の視聴を可能とし得る、受信方法を提供することを目的とする。
【手続補正５】
【補正対象書類名】明細書
【補正対象項目名】００１５
【補正方法】変更
【補正の内容】
【００１５】
実施形態によれば、第１チューナ部が、第１の事業体が送出する第１のサービス信号を含む第１デジタルテレビジョン放送を受信し、前記第１のサービス信号に含まれる、暗号化された第１ａキー（Ｋｗ）を含む前記第１の事業体の第１ａ制御情報（ＥＭＭ）、暗号化された第２ａキー（Ｋｓ）を含む前記第１の事業体の第２ａ制御情報（ＥＣＭ）ならびに第１スクランブルコンテンツを取得し、
第２チューナ部が、第２事業体が送出する第２のサービス信号を含む第２デジタルテレビジョン放送を受信し、前記第２サービス信号に含まれる、暗号化された第１ｂキー（Ｋｗ）を含む前記第２の事業体の第１ｂ制御情報（ＥＭＭ）、暗号化された第２ｂキー（Ｋｓ）を含む前記第２の事業体の第２ｂ制御情報（ＥＣＭ）ならびに第２スクランブルコンテンツを取得し、
デスクランブラが、前記第１チューナ部及び第２チューナ部から出力された前記第１及び第２スクランブルコンテンツをデスクランブルし、
制御部が、前記デスクランブラから出力される前記第１サービス信号の第１ストリームの第１テーブル、第２サービス信号の第２ストリームの所定の第２テーブルをチェックすること、
前記所定の前記第１テーブル、前記所定の前記第２テーブルに含まれている各パケットＩＤに基づいて、前記第１ａ制御情報（ＥＭＭ）、前記第２ａ制御情報（ＥＣＭ）、前記第１ｂ制御情報（ＥＭＭ）、前記第２ｂ制御情報（ＥＣＭ）をそれぞれ取り出すこと、
前記第１チューナ部、前記第２チューナ部、前記デスクランブラを制御すること、
ＣＡＳモジュールが、前記制御部により制御され、前記第１の事業体の第１ａ制御情報（ＥＭＭ）から、固有の第３ａキー（Ｋｍ）を用いて前記第１ａキー（Ｋｗ）を取得し、前記第１の事業体の第２ａ制御情報（ＥＣＭ）から、取得された前記第１ａキー（Ｋｗ）を用いて、前記デスクランブラに与えるための前記第２ａキー（Ｋｓ）を取得すること、
前記第２の事業体の第１ｂ制御情報（ＥＭＭ）から、固有の第３ｂキー（Ｋｍ）を用いて前記第１ｂキー（Ｋｗ）を取得し、前記第１の事業体の第２ａ制御情報（ＥＣＭ）から、取得された前記第１ｂキー（Ｋｗ）を用いて、前記デスクランブラに与えるための前記第２ｂキー（Ｋｓ）を取得すること、
を備え、
さらに前記制御部は、前記第１ａ制御情報（ＥＭＭ）に対応した第１ａコマンド送信を前記ＣＡＳモジュールに対して行う第１時間帯と、前記第１ｂ制御情報（ＥＭＭ）に対応した第１ｂコマンド送信を前記ＣＡＳモジュールに対して行う第２時間帯とを連続してずらして設定すること、
前記第１ａ制御情報（ＥＭＭ）に対応した前記第１ａコマンド送信を、前記第１ａ制御情報（ＥＭＭ）を受信してから前記第１時間帯内に前記ＣＡＳモジュールに対して行うまでの間に、前記１チューナ部により受信した前記第１の事業体の前記第２ａ制御情報（ＥＣＭ）に対応した第２ａコマンド送信を前記ＣＡＳモジュールに対して行うこと、
前記第１ｂ制御情報（ＥＭＭ）に対応した前記第１ｂコマンド送信を、前記第１ｂ制御情報（ＥＭＭ）を受信してから前記第２時間帯内に前記ＣＡＳモジュールに対して行うまでの間に、前記２チューナ部により受信した前記第２の事業体の前記第２ｂ制御情報（ＥＣＭ）に対応した第２ｂコマンド送信を前記ＣＡＳモジュールに対して行うこと、を備えた、受信方法が提供される。